【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
体内管腔の中へ挿入されるように構成されているデバイスであって、
近位端部および遠位端部を含む細長いシャフトと、
半径方向にコンパクトな状態から半径方向に拡張した状態へ移行するように構成されている拡張可能なアッセンブリと、
フレキシブルプリント回路板（フレックスＰＣＢ）基板と、
前記フレックスＰＣＢ基板に連結されており、かつ、複数の電気信号を受信または送信することの少なくとも１つをするように構成されている複数の電子要素と、
前記フレックスＰＣＢ基板の上または中の少なくとも１つに位置決めされ、前記複数の電気信号を処理するように構成されている電子モジュールに電気的に接続するように構成されている複数の電気接点に、前記複数の電子要素を選択的に連結する、複数の通信経路と、
を含むことを特徴とする、デバイス。
【請求項２】
請求項１に記載のデバイスであって、前記拡張可能なアッセンブリが、心腔の中への挿入のためにさらに構成されていることを特徴とする、デバイス。
【請求項３】
請求項１に記載のデバイスであって、前記複数の電子要素の少なくともいくつかが、前記フレックスＰＣＢ基板に固定して取り付けられていることを特徴とする、デバイス。
【請求項４】
請求項１に記載のデバイスであって、前記複数の電子要素の少なくともいくつかが、前記拡張可能なアッセンブリに固定して取り付けられていることを特徴とする、デバイス。
【請求項５】
請求項１に記載のデバイスであって、前記複数の電子要素の少なくとも１つが、電極、超音波トランスデューサ、加速度計、センサ、温度センサ、圧力センサ、歪みゲージ、トランスデューサー、加熱要素、冷却要素、および、それらのうちの２つ以上の組み合わせからなる群から選択される少なくとも１つの要素を含むことを特徴とする、デバイス。
【請求項６】
請求項１に記載のデバイスであって、前記複数の電子要素が、少なくとも１つの電極および少なくとも１つの超音波トランスデューサーを含むことを特徴とする、デバイス。
【請求項７】
請求項６に記載のデバイスであって、前記複数の電子要素が、少なくとも４つの電極および少なくとも４つの超音波トランスデューサーを含むことを特徴とする、デバイス。
【請求項８】
請求項１に記載のデバイスであって、前記複数の電子要素が、導電性コーティングを備える少なくとも１つの電極を含むことを特徴とする、デバイス。
【請求項９】
請求項８に記載のデバイスであって、前記導電性コーティングが、酸化イリジウム、白金黒、ＰＥＤＯＴ、炭素ナノチューブ、および、それらのうちの２つ以上の組み合わせからなる群から選択されることを特徴とする、デバイス。
【請求項１０】
請求項１に記載のデバイスであって、
前記複数の電子要素の少なくとも１つが、少なくとも１つの超音波トランスデューサーを含み、
前記フレックスＰＣＢ基板が、導電性のパッドを含み、前記少なくとも１つの超音波トランスデューサーが、前記導電性のパッドに電気的に接続されていることを特徴とする、デバイス。
【請求項１１】
請求項１０に記載のデバイスであって、前記導電性パッドと電気接続するように前記超音波トランスデューサーを維持するように構成されているハウジングをさらに含むことを特徴とする、デバイス。
【請求項１２】
請求項１に記載のデバイスであって、
前記複数の電子要素が、複数の超音波トランスデューサーを含み、
前記拡張可能なアッセンブリが、それぞれのスプラインに装着されている少なくとも２つの超音波トランスデューサーを備える少なくとも２つのスプラインを含み、
第１のスプラインに装着されている前記少なくとも２つの超音波トランスデューサーが、第２のスプラインに装着されている少なくとも２つの超音波トランスデューサーから直線的に互い違いに配置されており、前記第１のスプラインの上の超音波トランスデューサーの突出部が、前記第２のスプラインの上の前記少なくとも２つの超音波トランスデューサーの突出部同士の間に延在するようになっていることを特徴とする、デバイス。
【請求項１３】
請求項１に記載のデバイスであって、
前記複数の電子要素の少なくとも１つが、少なくとも１つの超音波トランスデューサーを含み、
前記１つ以上の超音波トランスデューサーが、整合層と、前記整合層の上のアクティブ要素と、前記アクティブ要素の上のバッキング材料とを含むことを特徴とする、デバイス。
【請求項１４】
請求項１３に記載のデバイスであって、前記整合層が、血液の中の浸漬に基づく４分の１波長の整合層であることを特徴とする、デバイス。
【請求項１５】
請求項１に記載のデバイスであって、前記拡張可能なアッセンブリが、スプラインサポートを含み、前記フレックスＰＣＢ基板が、１つ以上の場所において、前記スプラインサポートに取り付けられていることを特徴とする、デバイス。
【請求項１６】
請求項１に記載のデバイスであって、前記フレックスＰＣＢ基板が、ポリイミド、ポリエステル、ナイロン、Ｐｅｂａｘ、液晶ポリマー、および、それらの２つ以上の組み合わせからなる群から選択される材料を含むことを特徴とする、デバイス。
【請求項１７】
請求項１のいずれか一項に記載のデバイスであって、前記フレックスＰＣＢ基板が、導体の第１のセットを備える第１の層と、導体の第２のセットを備える第２の対向する層と、前記第１の層と前記第２の層との間に少なくとも１つのバイアと、を含むことを特徴とする、デバイス。
【請求項１８】
請求項１に記載のデバイスであって、前記複数の電子要素が、マルチプレクサー、トランスデューサー、センサー、Ａ／Ｄコンバーター、Ｄ／Ａコンバーター、電気−光信号コンバーター、光−電気信号コンバーター、アナログ信号フィルター、デジタル信号フィルター、増幅回路、前置増幅回路、および、それらのうちの２つ以上の組み合わせからなる群から選択される少なくとも１つの電子要素を含むことを特徴とする、デバイス。
【請求項１９】
請求項１に記載のデバイスであって、前記フレックスＰＣＢ基板が、
前記拡張可能なアッセンブリ上に位置決めされている遠位部分と、
前記複数の電気接点を含む近位部分と、
前記複数の通信経路の少なくとも一部分を含む、それらの間の中間部分と
を含み、
前記中間部分が、前記シャフトの長さの少なくとも大部分を通って延在していることを特徴とする、デバイス。
【請求項２０】
請求項１９に記載のデバイスであって、フレックスＰＣＢ基板近位端部が、前記シャフト近位端部の近位に位置決めされていることを特徴とする、デバイス。
【請求項２１】
請求項１に記載のデバイスであって、前記デバイスが、少なくとも１つの通信導管をさらに含み、前記少なくとも１つの通信導管は、前記フレックスＰＣＢ基板に電気的に連結されている遠位端部と、前記シャフトの長さの少なくとも大部分を通って延在する細長い部分とを含むことを特徴とする、デバイス。
【請求項２２】
請求項２１に記載のデバイスであって、前記少なくとも１つの通信導管が、ワイヤー、トレース、同軸ケーブル、マイクロ同軸ケーブル、光ファイバー、および、それらのうちの２つ以上の組み合わせからなる群から選択される導管を含むことを特徴とする、デバイス。
【請求項２３】
請求項１に記載のデバイスであって、前記フレックスＰＣＢ基板が、複数のスプラインを含み、それぞれのスプラインは、一連の電気接続点を含む接続領域を含み、
前記接続領域は、前記拡張可能なアッセンブリの中心軸線の周りに直線的に配置されており、
前記接続領域の少なくとも１つが、少なくとも１つの他の接続領域に対して互い違いに配置されていることを特徴とする、デバイス。
【請求項２４】
請求項２３に記載のデバイスであって、前記複数のスプラインが互いに対してフレキシブルに取り付けられていることを特徴とする、デバイス。
【請求項２５】
請求項１に記載のデバイスであって、前記複数の電子要素が、少なくとも１つの電極および少なくとも１つの超音波トランスデューサーを含み、前記複数の通信経路の少なくとも１つが、前記少なくとも１つの電極および前記少なくとも１つの超音波トランスデューサーに電気的に接続されていることを特徴とする、デバイス。
【請求項２６】
請求項２５に記載のデバイスであって、前記少なくとも１つの通信経路が、シールドおよび内側導体を含む少なくとも１つの同軸ケーブルを含み、前記少なくとも１つの電極および前記少なくとも１つの超音波トランスデューサーが、前記同軸ケーブル内側導体に電気的に接続されていることを特徴とする、デバイス。
【請求項２７】
請求項１に記載のデバイスであって、前記細長いシャフトが、細長いルーメンを画定し、前記ルーメンが、ガイドワイヤー、アブレーションカテーテル、および、それらのうちの２つ以上の組み合わせからなる群から選択される第２のデバイスを摺動式に受け入れるように構成されていることを特徴とする、デバイス。
【請求項２８】
請求項１に記載のデバイスであって、前記拡張可能なアッセンブリが、前記シャフトの前記遠位端部に取り付けられていることを特徴とする、デバイス。
【請求項２９】
請求項１に記載のデバイスであって、前記シャフトが、遠位部分を含み、前記拡張可能なアッセンブリが、前記シャフトの遠位部分の上に位置決めされていることを特徴とする、デバイス。
【請求項３０】
請求項１に記載のデバイスであって、前記拡張可能なアッセンブリが、拡張した状態で付勢されていることを特徴とする、デバイス。
【請求項３１】
請求項１に記載のデバイスであって、前記拡張可能なアッセンブリが、収縮した状態で付勢されていることを特徴とする、デバイス。